(57)【特許請求の範囲】
【請求項１】
店舗名情報を提供する情報提供装置であって、
複数の登録店舗名それぞれと一以上の登録飲料名とを関連付けて記憶し、前記複数の登録店舗名それぞれと一以上の登録料理名とを関連付けて記憶し、前記登録料理名と当該登録料理名に係る料理が提供される期間を示す登録期間とを関連付けて記憶する記憶部と、
前記情報提供装置と通信可能な情報端末において入力された飲料名を示す飲料名情報及び料理名を示す料理名情報を取得する情報取得部と、
前記飲料名情報が示す飲料名に対応する前記登録飲料名に関連付けて前記記憶部に記憶されており、前記情報取得部が前記料理名情報を取得した時点を含む前記登録期間に関連付けて前記記憶部に記憶されており、かつ前記料理名情報が示す料理名に対応する前記登録料理名に関連付けて前記記憶部に記憶された前記登録店舗名を特定する特定部と、
前記特定部が特定した前記登録店舗名を示す前記店舗名情報を前記情報端末に提供する情報提供部と、
を有する情報提供装置。
【請求項２】
店舗名情報を提供する情報提供装置であって、
複数の登録店舗名それぞれと一以上の登録飲料名とを関連付けて記憶するとともに、時期と推奨料理名とが関連付けられた第１データベースと、料理名と推奨飲料とが関連付けられた第２データベースと、前記登録店舗名と、店舗で提供可能な飲料銘柄と、店舗で提供可能な料理名とが関連付けられた店舗データベースと、を記憶する記憶部と、
前記情報提供装置と通信可能な情報端末において入力された飲料名及び飲料の種類を示す飲料名情報を取得する情報取得部と、
前記情報取得部が前記飲料名情報を取得した時点が含まれる前記時期に前記第１データベースにおいて関連付けられた前記推奨料理名を特定し、前記第２データベースにおいて、前記飲料名情報が示す種類の飲料のうち、特定した前記推奨料理名に関連付けられた前記推奨飲料を特定し、前記飲料名情報が示す飲料名に対応する前記登録飲料名に関連付けて前記記憶部に記憶された前記登録店舗名であって、前記店舗データベースにおいて、前記推奨飲料に対応する飲料銘柄に関連付けられた前記登録店舗名を特定する特定部と、
前記特定部が特定した前記登録店舗名を示す前記店舗名情報を前記情報端末に提供する情報提供部と、
を有する情報提供装置。
【請求項３】
前記記憶部は、前記登録店舗名と、前記登録飲料名の産地名と、を関連付けて記憶し、
前記情報取得部は、前記情報端末において入力された産地名を示す産地名情報をさらに取得し、
前記特定部は、前記産地名情報が示す産地名にさらに関連付けて前記記憶部に記憶された前記登録店舗名を特定する、
請求項1又は２に記載の情報提供装置。
【請求項４】
前記記憶部は、前記登録店舗名と、前記登録飲料名の生産年と、を関連付けて記憶し、
前記情報取得部は、前記情報端末において入力された生産年を示す生産年情報をさらに取得し、
前記特定部は、前記生産年情報が示す生産年にさらに関連付けて前記記憶部に記憶された前記登録店舗名を特定する、
請求項1から３のいずれか一項に記載の情報提供装置。
【請求項５】
前記記憶部は、前記登録飲料名と、一以上の登録料理名と、を関連付けて記憶し、
前記特定部は、前記情報取得部が取得した前記飲料名情報が示す飲料名に対応する前記登録飲料名に関連付けて前記記憶部に記憶された前記登録料理名を特定し、
前記情報提供部は、前記特定部が特定した前記店舗名情報とともに、前記特定部が特定した前記登録料理名を示す情報を前記情報端末に提供する、
請求項１から４のいずれか一項に記載の情報提供装置。
【請求項６】
店舗名情報を提供するコンピュータが実行する情報提供方法であって、
前記コンピュータと通信可能な情報端末において入力された飲料名を示す飲料名情報及び料理名を示す料理名情報を取得するステップと、
複数の登録店舗名それぞれと一以上の登録飲料名とを関連付けて記憶し、前記複数の登録店舗名それぞれと一以上の登録料理名とを関連付けて記憶し、前記登録料理名と当該登録料理名に係る料理が提供される期間を示す登録期間とを関連付けて記憶する記憶部を参照することにより、前記飲料名情報が示す飲料名に対応する前記登録飲料名に関連付けて前記記憶部に記憶されており、前記料理名情報を取得した時点を含む前記登録期間に関連付けて前記記憶部に記憶されており、かつ前記料理名情報が示す料理名に対応する前記登録料理名に関連付けて前記記憶部に記憶された前記登録店舗名を特定するステップと、
特定した前記登録店舗名を示す前記店舗名情報を前記情報端末に提供するステップと、
を有する情報提供方法。
【請求項７】
店舗名情報を提供するコンピュータが実行する情報提供方法であって、
前記コンピュータと通信可能な情報端末において入力された飲料名及び飲料の種類を示す飲料名情報を取得するステップと、
複数の登録店舗名それぞれと一以上の登録飲料名とを関連付けて記憶するとともに、時期と推奨料理名とが関連付けられた第１データベースと、料理名と推奨飲料とが関連付けられた第２データベースと、前記登録店舗名と、店舗で提供可能な飲料銘柄と、店舗で提供可能な料理名とが関連付けられた店舗データベースと、を記憶する記憶部を参照することにより、前記飲料名情報を取得した時点が含まれる前記時期に前記第１データベースにおいて関連付けられた前記推奨料理名を特定するステップと、
前記第２データベースにおいて、前記飲料名情報が示す種類の飲料のうち、特定した前記推奨料理名に関連付けられた前記推奨飲料を特定するステップと、
前記飲料名情報が示す飲料名に対応する前記登録飲料名に関連付けて前記記憶部に記憶された前記登録店舗名であって、前記店舗データベースにおいて、前記推奨飲料に対応する飲料銘柄に関連付けられた前記登録店舗名を特定するステップと、
特定した前記登録店舗名を示す前記店舗名情報を前記情報端末に提供するステップと、
を有する情報提供方法。
【請求項８】
店舗名情報を提供する情報提供装置と、前記情報提供装置から前記店舗名情報の提供を受ける情報端末と、を備え、
前記情報提供装置は、
複数の登録店舗名それぞれと一以上の登録飲料名とを関連付けて記憶し、前記複数の登録店舗名それぞれと一以上の登録料理名とを関連付けて記憶し、前記登録料理名と当該登録料理名に係る料理が提供される期間を示す登録期間とを関連付けて記憶する記憶部と、
前記情報提供装置と通信可能な情報端末において入力された飲料名を示す飲料名情報及び料理名を示す料理名情報を取得する情報取得部と、
前記飲料名情報が示す飲料名に対応する前記登録飲料名に関連付けて前記記憶部に記憶されており、前記情報取得部が前記料理名情報を取得した時点を含む前記登録期間に関連付けて前記記憶部に記憶されており、かつ前記料理名情報が示す料理名に対応する前記登録料理名に関連付けて前記記憶部に記憶された前記登録店舗名を特定する特定部と、
前記特定部が特定した前記登録店舗名を示す前記店舗名情報を前記情報端末に提供する情報提供部と、
を有し、
前記情報端末は、
前記情報端末のユーザが入力した前記飲料名を示す前記飲料名情報を前記情報提供装置に送信する送信部と、
前記情報提供装置から受信した前記店舗名情報を表示する表示部と、
を有する、情報提供システム。
【請求項９】
店舗名情報を提供する情報提供装置と、前記情報提供装置から前記店舗名情報の提供を受ける情報端末と、を備え、
前記情報提供装置は、
複数の登録店舗名それぞれと一以上の登録飲料名とを関連付けて記憶するとともに、時期と推奨料理名とが関連付けられた第１データベースと、料理名と推奨飲料とが関連付けられた第２データベースと、前記登録店舗名と、店舗で提供可能な飲料銘柄と、店舗で提供可能な料理名とが関連付けられた店舗データベースと、を記憶する記憶部と、
前記情報提供装置と通信可能な情報端末において入力された飲料名及び飲料の種類を示す飲料名情報を取得する情報取得部と、
前記情報取得部が前記飲料名情報を取得した時点が含まれる前記時期に前記第１データベースにおいて関連付けられた前記推奨料理名を特定し、前記第２データベースにおいて、前記飲料名情報が示す種類の飲料のうち、特定した前記推奨料理名に関連付けられた前記推奨飲料を特定し、前記飲料名情報が示す飲料名に対応する前記登録飲料名に関連付けて前記記憶部に記憶された前記登録店舗名であって、前記店舗データベースにおいて、前記推奨飲料に対応する飲料銘柄に関連付けられた前記登録店舗名を特定する特定部と、
前記特定部が特定した前記登録店舗名を示す前記店舗名情報を前記情報端末に提供する情報提供部と、
を有し、
前記情報端末は、
前記情報端末のユーザが入力した前記飲料名を示す前記飲料名情報を前記情報提供装置に送信する送信部と、
前記情報提供装置から受信した前記店舗名情報を表示する表示部と、
を有する、情報提供システム。
【発明の詳細な説明】
【技術分野】
【０００１】
本発明は、飲食店に関する情報を提供する情報提供装置、情報提供方法及び情報提供システムに関する。
【背景技術】
【０００２】
従来、飲食店を検索するためのサービスが知られている。特許文献１には、宴会の日時、参加人数及び予算を検索条件として飲食店を検索するという技術が開示されている。
【先行技術文献】
【特許文献】
【０００３】
【特許文献１】特開２０１２−９９０９５号公報
【発明の概要】
【発明が解決しようとする課題】
【０００４】
飲食店で飲食する際には、飲料を注文することができる。飲料には多様な銘柄があり、飲食する際に好みの銘柄の飲料を飲むことができるかどうかは飲食する者にとって重要な要素である。ところが、日時、参加人数及び予算に基づいて飲食店を検索して予約をした場合、予約した店に所望の飲料がなく、参加者が不満を抱く場合があるという問題が生じていた。
【０００５】
そこで、本発明はこれらの点に鑑みてなされたものであり、所望の飲料を提供する店舗に関する情報を得やすくすることを目的とする。
【課題を解決するための手段】
【０００６】
本発明の第１の態様の情報提供装置は、店舗名情報を提供する情報提供装置であって、複数の登録店舗名それぞれと一以上の登録飲料名とを関連付けて記憶する記憶部と、前記情報提供装置と通信可能な情報端末において入力された飲料名を示す飲料名情報を取得する情報取得部と、前記飲料名情報が示す飲料名に対応する前記登録飲料名に関連付けて前記記憶部に記憶された前記登録店舗名を特定する特定部と、前記特定部が特定した前記登録店舗名を示す前記店舗名情報を前記情報端末に提供する情報提供部と、を有する。
【０００７】
前記記憶部は、前記登録店舗名と、前記登録飲料名の産地名と、を関連付けて記憶し、前記情報取得部は、前記情報端末において入力された産地名を示す産地名情報をさらに取得し、前記特定部は、前記産地名情報が示す産地名にさらに関連付けて前記記憶部に記憶された前記登録店舗名を特定してもよい。
【０００８】
前記記憶部は、前記登録店舗名と、前記登録飲料名の生産年と、を関連付けて記憶し、前記情報取得部は、前記情報端末において入力された生産年を示す生産年情報をさらに取得し、前記特定部は、前記生産年情報が示す生産年にさらに関連付けて前記記憶部に記憶された前記登録店舗名を特定してもよい。
【０００９】
複数の登録店舗名それぞれと一以上の登録料理名とを関連付けて記憶し、前記情報取得部は、前記情報端末において入力された料理名を示す料理名情報をさらに取得し、前記特定部は、前記料理名情報が示す料理名に対応する前記登録料理名にさらに関連付けて前記記憶部に記憶された前記登録店舗名を特定してもよい。
【００１０】
前記記憶部は、前記登録料理名と、当該登録料理名に係る料理が提供される期間を示す登録期間とを関連付けて記憶し、前記特定部は、前記情報取得部が前記料理名情報を取得した時点を含む前記登録期間に関連付けて前記記憶部に記憶されており、かつ前記料理名情報が示す料理名に対応する前記登録料理名に関連付けて前記記憶部に記憶された前記登録店舗名を特定してもよい。
【００１１】
前記記憶部は、前記登録飲料名と、一以上の登録料理名と、を関連付けて記憶し、前記特定部は、前記情報取得部が取得した前記飲料名情報が示す飲料名に対応する前記登録飲料名に関連付けて前記記憶部に記憶された前記登録料理名を特定し、前記情報提供部は、前記特定部が特定した前記店舗名情報とともに、前記特定部が特定した前記登録料理名を示す情報を前記情報端末に提供してもよい。
【００１２】
前記記憶部は、時期と推奨料理名とが関連付けられた第１データベースと、料理名と推奨飲料とが関連付けられた第２データベースと、前記登録店舗名と、店舗で提供可能な飲料銘柄と、店舗で提供可能な料理名とが関連付けられた店舗データベースと、を記憶し、前記情報取得部は、前記飲料名情報として飲料の種類を示す情報を取得し、前記特定部は、前記情報取得部が前記飲料名情報を取得した時点が含まれる前記時期に前記第１データベースにおいて関連付けられた前記推奨料理名を特定し、前記第２データベースにおいて、前記飲料名情報が示す種類の飲料のうち、特定した前記推奨料理名に関連付けられた前記推奨飲料を特定し、前記店舗データベースにおいて、前記推奨飲料に対応する飲料銘柄に関連付けられた前記登録店舗名を特定し、前記情報提供部は、前記特定部が特定した前記登録店舗名を示す店舗名情報を前記情報端末に提供してもよい。
【００１３】
本発明の第２の態様の情報提供方法は、店舗名情報を提供するコンピュータが実行する情報提供方法であって、前記コンピュータと通信可能な情報端末において入力された飲料名を示す飲料名情報を取得するステップと、複数の登録店舗名それぞれと一以上の登録飲料名とを関連付けて記憶する記憶部を参照することにより、前記飲料名情報が示す飲料名に対応する前記登録飲料名に関連付けて前記記憶部に記憶された前記登録店舗名を特定するステップと、特定した前記登録店舗名を示す前記店舗名情報を前記情報端末に提供するステップと、を有する。
【００１４】
本発明の第３の態様の情報提供システムは、店舗名情報を提供する情報提供装置と、前記情報提供装置から前記店舗名情報の提供を受ける情報端末と、を備える。前記情報提供装置は、複数の登録店舗名それぞれと一以上の登録飲料名とを関連付けて記憶する記憶部と、前記情報提供装置と通信可能な情報端末において入力された飲料名を示す飲料名情報を取得する情報取得部と、前記飲料名情報が示す飲料名に対応する前記登録飲料名に関連付けて前記記憶部に記憶された前記登録店舗名を特定する特定部と、前記特定部が特定した前記登録店舗名を示す前記店舗名情報を前記情報端末に提供する情報提供部と、を有し、前記情報端末は、前記情報端末のユーザが入力した前記飲料名を示す前記飲料名情報を前記情報提供装置に送信する送信部と、前記情報提供装置から受信した前記店舗名情報を表示する表示部と、を有する。
【発明の効果】
【００１５】
本発明によれば、所望の飲料を提供する店舗に関する情報を得やすくなるという効果を奏する。
【図面の簡単な説明】
【００１６】
【図１】情報提供システムの概要を示す図である。
【図２】店舗検索画面の一例を示す図である。
【図３】店舗名が表示された画面の一例を示す図である。
【図４】情報提供装置及びユーザ端末の構成を示す図である。
【図５】店舗データベースの一例を示す図である。
【図６】登録店舗名と、各店舗において提供される料理名と、料理が提供される時期と、が関連付けられたデータベースの例を示す図である。
【図７】第１データベースの一例を示す図である。
【図８】第２データベースの一例を示す図である。
【図９】情報提供システムにおける処理の流れを示す図である。
【発明を実施するための形態】
【００１７】
［情報提供システムＳの概要］
図１は、情報提供システムＳの概要を示す図である。情報提供システムＳは、レストラン又は居酒屋のような飲食店を検索するためのシステムである。情報提供システムＳは、飲食店を探しているユーザＵが、自身が飲みたい飲料を指定することにより、指定された飲料が提供される飲食店に関する情報をユーザＵに提供することを特徴としている。
【００１８】
情報提供システムＳは、情報提供装置１と、複数のユーザ端末２と、複数の店舗端末３と、を備える。情報提供装置１は、例えばサーバであり、飲食店に関する情報をユーザＵに提供する。情報提供装置１は、ネットワークＮ又は無線通信回線Ｗを介して複数のユーザ端末２及び複数の店舗端末３と各種のデータを送受信する。ネットワークＮは、例えばインターネット又は携帯電話網を含む。無線通信回線Ｗは、例えばＷｉ−Ｆｉ（登録商標）である。
【００１９】
ユーザ端末２及び店舗端末３は、通信機能及び表示機能を有する情報端末であり、例えばスマートフォン、タブレット又はコンピュータである。ユーザ端末２は、飲食店を探しているユーザＵが使用する端末である。店舗端末３は、情報提供装置１に店舗名を登録する飲食店の管理者又は従業員（以下、「従業員」という）が使用する端末である。
【００２０】
図１を参照しながら、情報提供システムＳの基本動作について説明する。まず、情報提供装置１に店舗名を登録したい飲食店の従業員は、店舗端末３を用いて、店舗に関する各種の情報（以下、「店舗情報」という）を情報提供装置１に送信する。店舗情報は、店舗名、店舗の所在地、店舗で提供している料理及び飲料に関する情報である。従業員は、例えば、店舗に付与されたログインＩＤ及びパスワードを店舗端末３に表示される店舗情報登録画面において入力することで、店舗情報を新規に登録したり更新したりすることができる。
【００２１】
一方、飲食店を探すユーザＵは、ユーザ端末２において、店舗を検索するための各種の条件（以下、「検索条件」という）を入力する。ユーザＵは、例えば、ユーザＵに付与されたログインＩＤ及びパスワードをユーザ端末２に表示される店舗検索画面において入力することで検索条件を入力することができる。
【００２２】
図２は、店舗検索画面の一例を示す図である。図２に示す例においては、検索条件として、飲料名、飲料の生産年、及び店舗の地域を入力する画面が表示されている。ユーザＵが、検索条件の一つとして飲料名を入力すると、ユーザ端末２は、飲料名を示す飲料名情報を情報提供装置１に送信する。図２に示す例においては、飲料名として飲料の銘柄が入力されているが、飲料名として、ワイン、日本酒又はビールといった飲料の種類が入力されてもよい。情報提供装置１は店舗で提供される飲料名が登録されたデータベースを参照することにより、ユーザ端末２から受信した飲料名情報が示す飲料を提供できる店舗を抽出し、抽出した店舗の名称を示す店舗名情報をユーザ端末２に送信する。なお、ユーザ端末２は、検索条件として、店舗を利用する日時、予算及び希望する料理名等をさらに入力できる画面を表示してもよい。料理名は料理の名称であってもよく、料理の種類（日本料理、フランス料理等）であってもよい。
【００２３】
ユーザ端末２は、情報提供装置１から受信した店舗名情報が示す店舗名を表示する。図３は、店舗名が表示された画面の一例を示す図である。ユーザ端末２は、表示された店舗名にユーザＵがタッチすると、店舗に関する詳細な情報を表示する。ユーザ端末２は、「予約」ボタンにユーザＵがタッチすると、選択された店舗を予約するための画面を表示させる。
以下、情報提供装置１及びユーザ端末２の構成と動作の詳細を説明する。
【００２４】
［情報提供装置１及びユーザ端末２の構成］
図４は、情報提供装置１及びユーザ端末２の構成を示す図である。情報提供装置１は、通信部１１と、記憶部１２と、制御部１３と、を有する。制御部１３は、情報取得部１３１と、特定部１３２と、情報提供部１３３と、を有する。
【００２５】
通信部１１は、ネットワークＮを介してユーザ端末２及び店舗端末３と各種のデータを送受信するための通信インターフェースを有する。通信部１１は、ユーザ端末２又は店舗端末３から受信したデータを情報取得部１３１に入力する。また、通信部１１は、情報提供部１３３から入力されたデータをユーザ端末２又は店舗端末３に送信する。
【００２６】
記憶部１２は、ＲＯＭ（Read Only Memory）、ＲＡＭ（Random Access Memory）及びＳＳＤ（Solid State Drive）等の記憶媒体を含む。記憶部１２は、制御部１３が実行するプログラムを記憶する。また、記憶部１２は、複数の登録店舗名それぞれと一以上の登録飲料名とを関連付けて記憶する。記憶部１２は、制御部１３が店舗の検索に用いる各種のデータベースとして、店舗データベース１２１、第１データベース１２２及び第２データベース１２３を記憶している。店舗データベース１２１、第１データベース１２２及び第２データベース１２３の詳細については後述する。
【００２７】
制御部１３は、例えばＣＰＵ（Central Processing Unit）を有しており、記憶部１２に記憶されたプログラムを実行することにより、情報取得部１３１、特定部１３２及び情報提供部１３３として機能する。情報取得部１３１、特定部１３２及び情報提供部１３３の詳細については後述する。
【００２８】
続いて、ユーザ端末２について説明する。ユーザ端末２は、通信部２１と、表示部２２と、操作部２３と、記憶部２４と、制御部２５と、を有する。制御部２５は、受信部２５１と、送信部２５２と、を有する。
【００２９】
通信部２１は、ネットワークＮを介して情報提供装置１と各種のデータを送受信するための通信インターフェースを有する。通信部２１は、情報提供装置１から受信したデータを受信部２５１に入力する。また、送信部２５２から入力されたデータを情報提供装置１に送信する。
【００３０】
表示部２２は、受信部２５１が情報提供装置１から受信した情報を表示するためのディスプレイである。表示部２２は、例えば、ユーザＵが店舗を検索するために必要な情報を入力するための画面を表示したり、情報提供装置１から提供された店舗名情報を表示したりする。
【００３１】
操作部２３は、ユーザＵによるデータの入力操作を受け付けるためのデバイスである。操作部２３は、例えば表示部２２に重ねて設けられたタッチパネルを含んでいる。操作部２３は、ユーザＵにより入力されたデータを送信部２５２に通知する。
【００３２】
記憶部２４は、ＲＯＭ及びＲＡＭを含む記憶媒体である。記憶部２４は、制御部２５が実行するプログラムを記憶している。
【００３３】
制御部２５は、例えばＣＰＵを含んでおり、記憶部２４に記憶されたプログラムを実行することにより、受信部２５１及び送信部２５２として機能する。受信部２５１は、情報提供装置１が送信した店舗名情報を受信し、受信した店舗名情報を表示部２２に表示させる。送信部２５２は、ユーザ端末２のユーザＵが入力した飲料名を示す飲料名情報を情報提供装置１に送信する。
以下、情報提供装置１の詳細について説明する。
【００３４】
［情報提供装置１が有するデータベースの例］
図５は、店舗データベース１２１の一例を示す図である。店舗データベース１２１は、飲料銘柄（登録飲料名）と、当該飲料銘柄の飲料を提供する登録店舗名とが関連付けられたデータベースである。以下の説明において、データベースに登録された店舗名を「登録店舗名」という場合がある。図５に示す店舗データベース１２１においては、店舗名と、店舗のエリアと、店舗で提供可能な飲料に関する情報とが関連付けられている。飲料に関する情報には、飲料名と、飲料の種類と、飲料の産地と、飲料の生産年とが含まれている。
【００３５】
図５に示す例では、飲料がワインである場合を例示しているが、飲料は、日本酒、ビール、ウイスキー、ブランデー、焼酎、カクテル、ノンアルコール飲料等であってもよい。図５においては、飲料の種類としてブドウの品種が示されているが、飲料の特定に用いられる情報であれば、他の情報であってもよい。また、産地として国名が登録されているが、国の中の地域の名称が登録されていてもよい。
【００３６】
店舗データベース１２１は、店舗名と、各店舗において提供される料理名とが関連付けられたデータベースであってもよい。図６は、登録店舗名と、各店舗において提供される料理名と、料理が提供される時期と、が関連付けられた店舗データベース１２１の例を示す図である。記憶部１２は、店舗データベース１２１として、図５に示すデータベースと図６に示すデータベースの両方を記憶していてもよい。
【００３７】
記憶部１２は、登録店舗名と、登録飲料名と、一以上の登録料理名と、を関連付けて記憶してもよい。すなわち、店舗データベース１２１が、登録店舗名と、店舗で提供可能な飲料銘柄と、店舗で提供可能な料理名とが関連付けられたデータベースであってもよい。
【００３８】
図７は、第１データベース１２２の一例を示す図である。第１データベース１２２は、時期と推奨料理名とが関連付けられたデータベースである。このように、記憶部１２は、登録料理名と、当該登録料理名に係る料理が提供される期間を示す登録期間とを関連付けて記憶してもよい。図７に示す第１データベース１２２においては、四季のそれぞれの時期と推奨料理名とが関連付けられている。図７に示すように、推奨料理名として、料理の種類が時期に関連付けられていてもよい。登録期間は、四季に限られず、年月日情報を含んでもよい。
【００３９】
図８は、第２データベース１２３の一例を示す図である。第２データベース１２３は、料理名と推奨飲料とが関連付けられたデータベースである。図８に示す第２データベース１２３においては、料理名と推奨飲料銘柄とが関連付けられている。図８においては、それぞれの料理に一つの推奨飲料銘柄が関連付けられているが、それぞれの料理に複数の推奨飲料銘柄が関連付けられていてもよい。また、料理名と推奨飲料の属性とが関連付けられていてもよい。飲料の属性は、飲料の味に影響する性質であり、飲料がワインの場合は、赤、ロゼ、白といった色、又はブドウの種類等であり、飲料が日本酒の場合は、日本酒度、又は原料米の種類等である。
【００４０】
［制御部１３の動作］
以下、制御部１３が有する情報取得部１３１、特定部１３２及び情報提供部１３３の動作について詳細に説明する。
情報取得部１３１は、通信部１１を介して、情報提供装置１と通信可能なユーザ端末２において入力された飲料名を示す飲料名情報を取得する。情報取得部１３１は、取得した飲料名情報を特定部１３２に入力する。なお、飲料名情報は、飲料の銘柄を示す情報であってもよく、ワイン、日本酒又はビールといった飲料の種類を示す情報であってもよい。
【００４１】
特定部１３２は、情報取得部１３１から入力された飲料名情報が示す飲料名に対応する登録飲料名に関連付けて記憶部１２に記憶された登録店舗名を特定する。具体的には、特定部１３２は、記憶部１２に記憶された店舗データベース１２１を参照し、店舗データベース１２１において、飲料名情報が示す飲料名と同一又は類似の飲料名が登録飲料名として関連付けられている一以上の登録店舗名を抽出する。特定部１３２は、飲料名情報が示す飲料名が登録飲料名と完全に一致していない場合であっても、登録飲料名のうち所定の割合（例えば９０％）の文字が一致しており、登録飲料名と類似していると判定される場合、店舗データベース１２１において当該登録飲料名に関連付けられた登録店舗名を抽出する。特定部１３２は、特定した登録店舗名を情報提供部１３３に入力する。
【００４２】
情報提供部１３３は、通信部１１を介して、特定部１３２が特定した登録店舗名を示す店舗名情報をユーザ端末２に提供することにより、ユーザＵが入力した飲料を提供可能な店舗名をユーザ端末２に表示させる。情報提供部１３３は、特定部１３２が複数の登録店舗名を特定した場合、複数の登録店舗名を含む店舗名情報をユーザ端末２に送信する。
【００４３】
以上が情報提供装置１の基本的な機能であるが、情報提供装置１は、飲料を特定するために、飲料名の他に、産地、原材料、生産年及び料理との相性等のさまざまな要素を使用することもできる。例えば飲料がワインである場合、産地、ブドウの種類及び生産年によって味が異なる。また、ワインの銘柄によって料理との相性が異なる。そこで、情報取得部１３１は、これらの各種の要素のうちの少なくとも１つを取得し、特定部１３２は、情報取得部１３１が取得した要素にさらに基づいて、ユーザＵに適した店舗名を特定してもよい。
【００４４】
例えば、情報取得部１３１は、ユーザ端末２において入力された生産年を示す生産年情報をさらに取得し、特定部１３２は、生産年情報が示す生産年にさらに関連付けて記憶部１２に記憶された登録店舗名を特定する。図２に示したように、ユーザＵが、ワインの銘柄に加えて生産年を入力した場合、特定部１３２は、同じ銘柄で生産年が異なる複数のワインのうち、入力された生産年に対応するワインに関連付けて店舗データベース１２１に登録された店舗名を特定する。特定部１３２が、このように飲料の生産年に基づいて店舗名を特定することにより、ユーザＵが、飲みたい生産年の飲料を提供してくれる店舗を見つけることが可能になる。
【００４５】
情報取得部１３１は、ユーザ端末２において入力された産地名を示す産地名情報をさらに取得し、特定部１３２は、産地名情報が示す産地名に関連付けて記憶部１２に記憶された登録店舗名を特定してもよい。ユーザＵが、飲料名として「ワイン」を入力し、ブドウの種類として「シャルドネ」を入力し、産地名として「米国」を入力した場合、特定部１３２は、図５に示した店舗データベースを参照することにより、例えば「ケンダールジャクソン」を提供可能な「ビストロＡ」を選択する。
【００４６】
特定部１３２は、産地名に関する条件を満たす飲料が複数ある場合、それらの飲料それぞれに関連付けられた複数の登録店舗名を選択し、情報提供部１３３は、複数の店舗名をユーザ端末２に提供する。特定部１３２が、このように産地名に基づいて店舗名を特定することにより、ユーザＵが飲料の銘柄を記憶していない場合であっても、所望の飲料を提供してくれる店舗を見つけることが可能になる。
【００４７】
情報取得部１３１は、ユーザ端末２において入力された料理名を示す料理名情報をさらに取得し、特定部１３２は、料理名情報が示す料理名に対応する登録料理名にさらに関連付けて記憶部１２に記憶された登録店舗名を特定してもよい。具体的には、特定部１３２は、図６に示した店舗データベース１２１において、ユーザＵが入力した料理名と同一又は類似の料理名に関連付けられた店舗名を特定する。特定部１３２は、図５及び図６に示す複数の店舗データベースを参照することにより、ユーザＵが所望する飲料と料理の両方を提供する店舗を特定してもよい。特定部１３２がこのように動作することで、ユーザＵは、自身が所望する飲料と料理とを提供してくれる店舗を見つけることが可能になる。
【００４８】
特定部１３２は、情報取得部１３１が取得した飲料名情報が示す飲料名に対応する登録飲料名に関連付けて記憶部１２に記憶された登録料理名を特定してもよい。特定部１３２は、例えば、図８に示したデータベースを参照することにより、ユーザＵが入力した飲料名が示す飲料との相性が良い料理名を特定する。そして、情報提供部１３３は、特定部１３２が特定した店舗名情報とともに、特定部１３２が特定した登録料理名を示す情報をユーザ端末２に提供してもよい。特定部１３２及び情報提供部１３３がこのように動作することで、ユーザＵは、自身が所望する飲料が提供される店舗で提供される、当該飲料と相性が良い料理を把握することが可能になる。このような情報がユーザ端末２に提供されることで、ユーザＵが所望する飲料を提供可能な店舗が複数ある場合にも、ユーザＵは、提供される料理に基づいて店舗を絞り込むことができる。
【００４９】
特定部１３２は、情報取得部１３１が料理名情報を取得した時点を含む登録期間に関連付けて記憶部１２に記憶されており、かつ料理名情報が示す料理名に対応する登録料理名に関連付けて記憶部１２に記憶された登録店舗名を特定してもよい。特定部１３２は、例えば図６に示したデータベースを参照することにより、ユーザＵが料理名を入力して検索しようとした時期に、入力された料理名と一致する料理又は類似する料理を提供可能な店舗を特定する。特定部１３２がこのように動作することで、時期によって提供する料理が異なる場合であっても、ユーザＵが店舗を探している時期に所望の飲料と料理が提供される店舗を見つけることが可能になる。
【００５０】
情報提供装置１は、ユーザＵが飲料名を入力して店舗を検索する時期にお勧めの料理と飲料の組み合わせを特定し、この料理と飲料とを提供可能な店舗に関する情報をユーザ端末２に提供してもよい。この場合、情報取得部１３１は、飲料名情報として飲料の種類（例えば、ワイン、ビール等）を示す情報を取得する。
【００５１】
特定部１３２は、情報取得部１３１が飲料名情報を取得した時点が含まれる時期に第１データベース１２２において関連付けられた推奨料理名を特定する。また、特定部１３２は、第２データベース１２３において、飲料名情報が示す種類の飲料（すなわち、ユーザＵが検索条件として入力した飲料名に対応する飲料）のうち、特定した推奨料理名に関連付けられた推奨飲料を特定する。そして、特定部１３２は、店舗データベース１２１において、推奨飲料に対応する飲料銘柄に関連付けられた登録店舗名を特定する。情報提供部１３３は、特定部１３２が特定した登録店舗名を示す店舗名情報をユーザ端末２に提供する。
【００５２】
一例として、ユーザＵが、３月頃に飲料名情報として「ワイン」を入力して店舗名を検索したとする。この場合、特定部１３２は、図７に示した第１データベース１２２を参照することにより、春の時期に推奨できる料理名を特定する。続いて、特定部１３２は、図８に示した第２データベース１２３を参照することにより、推奨できる料理との相性が良い飲料の銘柄を特定する。
【００５３】
さらに、特定部１３２は、図５及び図６に示した店舗データベース１２１を参照することにより、特定した料理と特定した銘柄の飲料を提供できる店舗を特定する。情報提供装置１がこのようにして特定した店舗に関する情報を提供することで、ユーザＵが所望の飲料の種類を入力するだけで、ユーザＵは、その時期にお勧めの料理と、料理との相性がよく、かつユーザＵが飲みたい飲料を提供できる店舗を見つけることができる。
【００５４】
［変形例］
以上の説明においては、情報提供装置１が情報を提供する対象となるエリアが考慮されていなかったが、情報提供装置１は、複数のエリアそれぞれに対応するデータベースを用いて、ユーザＵが選択したエリアにおいてユーザＵが入力した飲料名に対応する飲料を提供する店舗に関する情報をユーザ端末２に提供してもよい。情報提供装置１は、例えば、渋谷区版の店舗情報提供サイト、港区版の店舗情報提供サイト、藤沢市版の店舗情報提供サイトを提供してもよい。この場合、情報提供装置１は、ユーザ端末２から飲料名情報を取得した時点におけるユーザ端末２の位置が含まれるエリアを自動的に特定し、特定したエリアにある店舗に関する情報をユーザ端末２に提供してもよい。
【００５５】
［情報提供システムＳにおける処理の流れ］
図９は、情報提供システムＳにおける処理の流れを示す図である。ユーザＵが店舗を検索するためのサイトにログインして検索画面を起動すると（Ｓ１１）、ユーザ端末２は、ユーザＵにより入力された飲料名を取得する（Ｓ１２）。ユーザ端末２は、取得した飲料名を示す飲料名情報を情報提供装置１に送信する。
【００５６】
情報提供装置１は、受信した飲料名情報に基づいて店舗データベース１２１を検索する（Ｓ１３）。特定部１３２が、店舗データベース１２１を参照することにより、飲料名情報が示す飲料名に関連付けられた店舗名を特定する（Ｓ１４）。情報提供部１３３は、特定部１３２が特定した店舗名を示す店舗名情報をユーザ端末２に送信する。情報提供装置１は、店舗名情報を受信すると、受信した店舗名情報を表示部２２に表示させる（Ｓ１５）。
【００５７】
［情報提供システムＳによる効果］
以上説明したように、情報提供装置１は、ユーザＵにより入力された飲料名に対応する登録飲料名に関連付けて記憶部１２に記憶された店舗名を特定する特定部１３２と、特定部１３２が特定した店舗名を示す情報をユーザ端末２に提供する情報提供部１３３と、を有する。情報提供装置１がこのような構成を有することで、ユーザＵが飲料に関する情報を入力するだけで、ユーザＵは、自身が所望する飲料が提供される店舗を容易に見つけることができる。
【００５８】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００５９】
１  情報提供装置
２  ユーザ端末
３  店舗端末
１１  通信部
１２  記憶部
１３  制御部
２１  通信部
２２  表示部
２３  操作部
２４  記憶部
２５  制御部
１２１  店舗データベース
１２２  第１データベース
１２３  第２データベース
１３１  情報取得部
１３２  特定部
１３３  情報提供部
２５１  受信部
２５２  送信部
【要約】
【課題】所望の飲料を提供する店舗に関する情報を得やすくする。
【解決手段】情報提供装置１は、複数の登録店舗名それぞれと一以上の登録飲料名とを関連付けて記憶する記憶部１２と、情報提供装置１と通信可能なユーザ端末２において入力された飲料名を示す飲料名情報を取得する情報取得部１３１と、飲料名情報が示す飲料名に対応する登録飲料名に関連付けて記憶部１２に記憶された登録店舗名を特定する特定部１３２と、特定部１３２が特定した登録店舗名を示す店舗名情報をユーザ端末２に提供する情報提供部１３３と、を有する。
【選択図】図４【図１】
0006870145.tif 000002
【図２】
0006870145.tif 000003
【図３】
0006870145.tif 000004
【図４】
0006870145.tif 000005
【図５】
0006870145.tif 000006
【図６】
0006870145.tif 000007
【図７】
0006870145.tif 000008
【図８】
0006870145.tif 000009
【図９】
0006870145.tif 000010